(57)【要約】      （修正有）【課題】給電方向に拘わらず、陳列商品全体をほぼ均一に照明できる照明装置を提供する。【解決手段】上面が開口した箱型の収納ケース１と、収納ケース１の内部に保持される長板状の回路基板３と、収納ケース１の上面を閉塞する金属板２と、を有して構成される。回路基板２の下面には、前後方向の略中央位置において、複数の発光ダイオードＬＥＤが回路基板３の長さ方向に整列配置され、収納ケース１の底面は、発光ダイオードＬＥＤに向かって湾曲形成され、その頂点ラインが発行ダイオードＬＥＤに最接近している。【選択図】図３
0003231587.tif 000002
【実用新案登録請求の範囲】
【請求項１】
略平行な前後面と、前後面に連続する底面と、を有して上面が開口した透光性の収納ケースと、前記収納ケースの内部に中空状態で保持される長板状の回路基板と、前記回路基板の上方位置において、前記収納ケースの上面を閉塞する金属板と、を有して構成された照明装置であって、
前記回路基板の下面には、前記収納ケースの前後方向の略中央位置において、複数の発光ダイオードが、前記回路基板の長さ方向に整列配置されており、
前記収納ケースの底面は、前記発光ダイオードに向かって上向きに湾曲形成されることで、その頂点ラインが前記発光ダイオードに最接近していることを特徴とする照明器具。
【請求項２】
前記金属板には、他の部材に固定又は係合するための補助部材の一部を受け入れ可能な取付溝が形成されている請求項１に記載の照明器具。
【請求項３】
前記収納ケースが、断面コ字状の透光性のカバー体で覆われることで、
前記収納ケースの前後面と前記カバー体との間に、フィルム板が挿入可能な隙間が形成されている請求項１又は２に記載の照明器具。
【請求項４】
前記回路基板に電気接続された電源ラインが、前記収納ケースの左右両端から引き出され、一方はオス型、他方はメス型のコネクタで終端されている請求項１〜３の何れかに記載の照明器具。
【請求項５】
前記金属板の下面には、電気絶縁性のシート材が配置される請求項１〜４の何れかに記載の照明器具。
【考案の詳細な説明】
【技術分野】
【０００１】
本考案は、ショーケースや商品陳列棚に配置した商品を、顧客に近い前方側から顧客に遠い後方側まで、ほぼ均一に照明できる照明装置に関する。
【背景技術】
【０００２】
本出願人は、陳列配置した商品をアピールするべく、高輝度の発光ダイオードで商品を照明する照明装置について提案している（特許文献１〜２）。また、同種の装置は、他社からも提案されている（特許文献３〜特許文献４）。
【先行技術文献】
【特許文献】
【０００３】
【特許文献１】特開２０１０−２５１２９４号公報
【特許文献２】特開２０１１−１５５０１９号公報
【特許文献３】特開２００６−３４６２３８号公報
【特許文献４】特開２００３−２７５０８０号公報
【考案の概要】
【考案が解決しようとする課題】
【０００４】
しかし、先行文献１に記載された照明装置は、発光ダイオードからの発光が、顧客に向かう構成であるか、或いは、発光ダイオードが、装置内部の偏移した位置に配置されており、顧客から見て奥側が照明されず、陳列配置された商品を鮮やかにアピールすることができなかった。一方、商品全体を均一に照明するには、アルミ反射板などを複雑に配置する必要があり、装置の小型化や低価格化の要請に応えることができない。
【０００５】
また、電源の供給元は、店舗毎に相違しており、第１方向から第２方向に給電したい場合もあれば、その逆に、第２方向から第１方向に給電したい場合もあるところ、追加部材を要することなく、双方向に給電可能な照明装置は知られていない。
【０００６】
本考案は、上記の課題に鑑みてなされたものであって、給電方向に拘わらず、陳列商品全体をほぼ均一に照明できる照明装置を提供することを目的とする。
【課題を解決するための手段】
【０００７】
上記の目的を達成するため、本考案は、略平行な前後面（１０，１１）と、前後面に連続する底面（１２）と、を有して上面が開口した透光性の収納ケース（１）と、前記収納ケースの内部に中空状態で保持される長板状の回路基板（３）と、前記回路基板の上方位置において、前記収納ケースの上面を閉塞する金属板（２）と、を有して構成された照明装置（ＬＧＨＴ）であって、前記回路基板の下面には、前記収納ケースの前後方向の略中央位置において、複数の発光ダイオード（ＬＥＤ）が、前記回路基板の長さ方向に整列配置されており、前記収納ケースの底面は、前記発光ダイオードに向かって上向きに湾曲形成されることで、その頂点ラインが前記発光ダイオードに最接近している。
【考案の効果】
【０００８】
上記した本考案によれば、給電方向に拘わらず、陳列商品全体をほぼ均一に照明できる照明装置を実現することができる。
【図面の簡単な説明】
【０００９】
【図１】実施例の照明装置の使用状態を示す図面である。
【図２】各種の照明装置の概略構成を説明する図面である。
【図３】連結タイプの照明装置の構成を説明する図面である。
【図４】閉塞タイプの照明装置の構成を説明する図面である。
【図５】照明装置からの発光方向と、商品陳列棚における照明状態を説明する図面である。
【図６】回路基板の回路構成を説明する図面である。
【考案を実施するための形態】
【００１０】
以下、実施例に基づいて本考案を具体的に説明する。先ず、図１は、実施例に係る照明装置ＬＧＨＴの配置位置を説明する図面である。
【００１１】
図示の照明装置ＬＧＨＴは、複数の白色ＬＥＤランプを列状に内蔵する点灯部ＢＤＹと、配電装置ＤＩＳＴからＡＣ電源を受けるオス型コネクタＣＮｍと、点灯部ＢＤＹとオス型コネクタＣＮｍを接続する給電ケーブルＣＡと、を有して構成されている。
【００１２】
上記の構成の照明装置ＬＧＨＴは、商品を陳列する棚板ＰＬＴの軒先に固定されて使用されるが、この棚板ＰＬＴは、支柱材ＬＧと、基礎材ＢＳと、横架材ＨＯＲＩとで基本骨格が形成された商品陳列棚ＲＡＣＫに、保持アームＨＤを介して保持されている。
【００１３】
実施例の配電装置ＤＩＳＴは、例えば、アースラインを含んだ３列のＡＣ給電ラインが真っすぐに延びる配電本体部２０と、ＡＣ１００Ｖを受ける電源分配器２１と、が中継ケーブルＬ１で接続されている。そして、電源分配器２０から、一対の電源ケーブルＬ２，Ｌ３が導出され、一方の電源ケーブルＬ２は、オス型コネクタＣＮｍで終端され、他方の電源ケーブルＬ３は、メス型コネクタＣＮｆで終端されている。
【００１４】
図１（ｂ）は、同一形状の商品陳列棚ＲＡＣＫ１〜ＲＡＣＫ６を、左右方向に隣接配置した場合であって、配電装置ＤＩＳＴを３個配置した状態を示している。図１（ｂ）に示す通り、この使用例では、一の配電装置ＤＩＳＴから、左右の商品陳列棚ＲＡＣＫに配置された合計２×６個の照明装置ＬＧＨＴに、各々、ＡＣ１００Ｖの電源電圧が供給される。
【００１５】
図２は、閉塞タイプの照明装置ＬＧＨＴ１（図２（ａ）〜図２（ｃ））と、連結タイプの照明装置ＬＧＨＴ２（図２（ｄ））と、を図示したものである。先ず、図２（ａ）は、図１に示す照明装置ＬＧＨＴであって、配電装置ＤＩＳＴに挿入されるオス型コネクタＣＮｍと、発光ダイオードを収容した点灯部ＢＤＹと、点灯部ＢＤＹの側面を閉塞する側面板ＳＩＤＥとを有して構成される。
【００１６】
なお、閉塞タイプの構成は、図１や図２（ａ）の構成に限定されるものではなく、図２（ｂ）〜図２（ｄ）などの変形構成が可能である。先ず、図２（ｂ）は、標準タイプのオス型コネクタＣＮｍを示しており、配電装置ＤＩＳＴだけでなく、通常の電源コンセントにも挿入できる利点がある。また、図２（ｃ）は、図２（ｅ）に示す内部構造を有するオス型コネクタＣＮｍで終端される閉塞タイプの照明装置ＬＧＨＴ１を示している。
【００１７】
一方、図２（ｄ）は、連結タイプの照明装置ＬＧＨＴ２を示しており、この照明装置ＬＧＨＴ２では、点灯部ＢＤＹの左右から一対の給電ケーブルＣＡ，ＣＡが導出され、一方側の給電ケーブルＣＡは、メス型コネクタＣＮｆで終端され、他方側の給電ケーブルＣＡは、オス型コネクタＣＮｍで終端されている。
【００１８】
図２（ｅ）に示す通り、オス型コネクタＣＮｍは、給電ケーブルＣＡに内部接続された突出バーＢＡＲを内蔵して構成され、また、図２（ｆ）に示す通り、メス型コネクタＣＮｆは、給電ケーブルＣＡに内部接続され、且つ、突出バーＢＡＲを弾性的に受け止める把持バーＧＲＰを内蔵して構成されている。
【００１９】
そして、オス型コネクタＣＮｍとメス型コネクタＣＮｆの先端部は、互いに嵌合可能な形状に構成されており、メス型コネクタＣＮｆの先端を、オス型コネクタＣＮｍの先端に挿入すると、突出バーＢＡＲが把持バーＧＲＰの中に進入して、確実な電気接続が実現するよう構成されている（図２（ｈ）参照）。
【００２０】
このような構成の照明装置ＬＧＨＴ１／ＬＧＨＴ２を使用する場合には、例えば、図１（ｂ）のような大型の店舗構成であっても、配電装置ＤＩＳＴの使用を省略することができる。すなわち、実施例に係る照明装置ＬＧＨＴ１／ＬＧＨＴ２は、必ずしも、配電装置ＤＩＳＴを必要としない利点もある。
【００２１】
配電装置ＤＩＳＴを省略する場合には、商品陳列棚ＲＡＣＫ１〜ＲＡＣＫ５に、例えば、図２（ｄ）の照明装置ＬＧＨＴ２が上下方向に５個が配置され、最右側の商品陳列棚ＲＡＣＫ６には、図２（ｃ）の照明装置ＬＧＨＴ１が上下方向に５個配置される。
【００２２】
そして、最左側の商品陳列棚ＲＡＣＫ１に配置された５個の照明装置ＬＧＨＴ２には、各々、図２（ｇ）に示す電源コードによってＡＣ１００Ｖが給電される。そして、隣接する商品陳列棚ＲＡＣＫｉ〜ＲＡＣＫｉ＋１の間は、図２（ｈ）に示す連結構造によって、照明装置ＬＧＨＴのメス型コネクタＣＮｆとオス型コネクタＣＮｍが接続されてＡＣ１００Ｖが右方向に配電されることになる。
【００２３】
なお、最左側の商品陳列棚ＲＡＣＫ１の左端面にだけ、配電装置ＤＩＳＴを配置するのも好適である。この場合には、連結タイプの照明装置ＬＧＨＴ２について、オス型コネクタＣＮｍの形状を、図２（ａ）や図２（ｂ）の形状に変更すれば、図２（ｇ）に示す電源コードが不要となる。
【００２４】
図３は、連結タイプの照明装置ＬＧＨＴ２を示す図面であり、使用状態における正面図（ａ）と、一部破断状態で発光ダイオードＬＥＤが露出した底面図（ｂ）と、金属板２が現れる上面図（ｃ）と、点灯部ＢＤＹの左右端が、側面板ＳＩＤＥで閉塞された状態を示す左右側面図（ｄ）と、断面形状を特定するＡ−Ａ断面図（ｅ）と、を示している。
【００２５】
図３（ｅ）に示す通り、照明装置ＬＧＨＴ２の点灯部ＢＤＹは、透光性を有する樹脂で一体成型された収納ケース１と、収納ケース１の上面を覆う金属板２と、金属板２の下方に配置される回路基板３と、回路基板３と金属板２の間に配置される絶縁シート４と、を有して構成されている。
【００２６】
収納ケース１は、例えば、透光性を有する乳白色のプラスチック材であり、略平行に形成された第１垂直面１０及び第２垂直面１１と、各垂直面１０，１１の下端を接続する底面１２と、各垂直面１０，１１の上端に続く取付部１３と、を有して構成されている。底面１２は、上向きに屈曲する円弧面ＡＲＣと、側面板ＳＩＤＥを固定するための取付ビスＢＴを受け入れる溝穴ＨＯを有して構成され、断面視で前後対称形に形成されている。
【００２７】
また、取付部１３は、内向きに延びる水平面１４と、水平面１４から斜め下方に降下する傾斜面１５と、傾斜面１５の先端から直立する取付片１６と、を有して構成されている。取付片１６は、上下中央に位置する水平部ＨＲと、水平部ＨＲから垂直に立ち上る上部ＵＰと、水平部ＨＲから逆Ｌ字状に立ち下る下部ＬＷとに区分され、水平部ＨＲと下部ＬＷとで、回路基板３の取付溝をコ字状に形成している。そして、取付片１６の上部ＵＰは、回路基板３と金属板２との間に所定の絶縁空間を確保している。
【００２８】
また、傾斜面１５と取付片１６で形成される空間が、金属板２の取付空間として機能している。具体的には、金属板２の底面が、傾斜面１５と、水平部ＨＲの上面をスライド移動することで、金属板２が収納ケース１の上面を閉塞している。
【００２９】
金属板２は、例えば、アルミニウム材で一体成型されて構成され、嵌合溝ＧＶを設けた中央部ＣＴと、側面板ＳＩＤＥを固定するための取付ビスＢＴを受け入れる溝穴ＨＯを設けた両端部ＳＤと、両端部ＳＤからＪ字状に降下する係合部ＥＮＧとに区分されている。図示の通り、金属板２は、断面視で前後対称形に形成されている。
【００３０】
ここで、嵌合溝ＧＶは、照明装置ＬＧＨＴを、商品陳列棚ＲＡＣＫの棚板ＰＬＴに取り付けるための補助部材を受け入れる用途で使用される。また、金属板２の底面には、絶縁シート４が固定されることで、回路基板３との間に万全の電気絶縁性を実現している。
【００３１】
回路基板３の下面には、多数の発光ダイオードＬＥＤが、回路基板３の一端から他端に向けて、一列に整列配置されている。図３（ｂ）に示す通り、一列の発光ダイオードＬＥＤは、回路基板４の前後方向の中央に配置されており、収納ケース１の円弧面ＡＲＣの最上部に対面している。なお、回路基板３の上面には、ヒューズや電流制限抵抗が配置されている（図３（ｆ）参照）。
【００３２】
回路基板３は、照明装置ＬＧＨＴの長さ寸法に対応して、必要個数の単位基板ＵＮＩＴを直列に接続して構成されている。このような単位基板ＵＮＩＴの直列接続を実現するため、回路基板４の上面と下面には、回路部品の両側に、各々、二列の電源パターンＬＮが敷設されており、全ての単位基板ＵＮＩＴに、ＡＣ１００Ｖが給電されるよう構成されている。
【００３３】
図３（ｄ）に示すように、側面板ＳＩＤＥには、４個の取付ビスＢＴが収納ケース１にネジ込まれており、また、給電ケーブルＣＡが導出されている。図３（ｆ）に示す通り、側面板ＳＩＤＥを通過した給電ケーブルＣＡは、回路基板３の表面側の端部に半田付けされる。この半田付け箇所に対応して、回路基板３の表面と裏面には、先に説明した二列の電源パターンＬＮが真っすぐに形成されている。
【００３４】
以上、図３に基づいて、連結タイプの照明装置ＬＧＨＴ２について説明したが、図４に示す閉塞タイプの照明装置ＬＧＨＴ１についても、点灯部ＢＤＹの内部構成は、図３に示す照明装置ＬＧＨＴ２の構成と同じである。
【００３５】
なお、何れの照明装置ＬＧＨＴについても、収納ケース１よりやや大きい透明カバー５（図５参照）で、収納ケース１を覆う構成を採るのが好適である。この場合には、図５に示す通り、透明カバー５と収納ケース１の間に生じる隙間に、商品名などを記載したサインフィルム６を挿入することで、商品棚に陳列した商品群を、より効果的にアピールすることができる。
【００３６】
実施例の照明装置ＬＧＨＴは、上記の通りに構成されているので、発光ダイオードＬＥＤからの光は、図５に示す通り、収納ケース１の円弧面ＡＲＣの最上部を通過して下方の商品を照明する。ここで、収納ケース１は、透光性を有する乳白色のプラスチック材であるので、発光ダイオードＬＥＤの個々的な発光による粒々感を低減することができ、優しい配光を実現している。
【００３７】
また、発光ダイオードＬＥＤの発光は、前後方向の中央に配置された円弧面ＡＲＣにおいて、前方及び後方に均等に反射して、商品棚の前方から後方に向けて全体をほぼ均等に照明することができる。更に、多数の発光ダイオードＬＥＤが、回路基板３の一端から他端に向けて、一列に整列配置されているので、発光ダイオードＬＥＤの発光が途絶える暗い箇所がなく、顧客から見た左右方向も均等に照明される。
【００３８】
因みに、実施例の照明装置ＬＧＨＴでは、第１垂直面１０と第２垂直面１１において、面照度が３０００Ｌｕｘ以上になるよう設計されたＬＥＤ回路が、回路基板３に配置されている。また、下方の棚板から２５０ｍｍ上方に、この照明装置ＬＧＨＴを配置した場合に、下方棚板において、１５００Ｌｕｘ以上の照度となるＬＥＤ回路が搭載されている。
【００３９】
また、実施例の照明装置ＬＧＨＴでは、引用文献１の構成で必要となる反射板が不要であるので、奥行きサイズを小型化でき、軽量化が実現され、更に、部品点数も少ないので、組立作業性がアップし、製造コストが抑制される。また、照明装置ＬＧＨＴから導出された給電ケーブルＣＡは、オス型コネクタＣＮｍやメス型コネクタＣＮｆで終端されているので、電気工事士などの資格者でなくても、複数の照明装置ＬＧＨＴについて、自由に連結作業をすることができる。
【００４０】
また、回路基板３の発光ダイオードＬＥＤや、収納ケース１の円弧面ＡＲＣが、前後方向の中央位置に配置されているので、電源電圧を第１方向から第２方向に給電できるだけでなく、その逆の第２方向から第１方向に給電することができる。すなわち、何れの給電方向であっても、照明装置ＬＧＨＴを左右反転して配置するだけで、上記した効果を発揮することができる。なお、引用文献１の構成であれば、左右反転して照明装置ＬＧＨＴを配置できないので、電源供給元のＡＣ１００Ｖを、メス型コネクタＣＮｆに出力する図２（ｇ）の電源コードだけでなく、電源供給元のＡＣ１００Ｖを、オス型コネクタＣＮｍに出力する別の電源コードが必要となる。
【００４１】
図６は、上記の発光を実現する回路基板３のＬＥＤ回路の構成を説明する図面である。先ず、図６（ｄ）や図６（ｅ）は、単位基板ＵＮＩＴの回路構成を示しており、この単位基板ＵＮＩＴが一又は複数個直列接続されて、照明装置ＬＧＨＴの回路基板３が構成される。単位基板ＵＮＩＴの内部において、ＡＣ１００Ｖの給電ラインＰＷは、ヒューズＦ１，Ｆ２を経由して、単位基板ＵＮＩＴの一端部から他端部まで延設されており、同一構造の単位基板ＵＮＩＴを、幾らでも、直列接続することができる。
【００４２】
図６（ｄ）や図６（ｅ）に示す通り、単位基板ＵＮＩＴは、例えば、２０個の白色発光ダイオードＤ１と、交流電圧を整流する整流回路ＢＤと、過電流時に回路を遮断するヒューズＦ１〜Ｆ３と、リニア動作して定電流制御を実行するトランジスタＴＲと、基準電圧２．５Ｖを生成するレギュレータＳＲと、トランジスタＴＲを最適にリニア動作させるバイアス抵抗Ｒ２と、電流値Ｉｆを規定する電流制限抵抗Ｒ３と、自らの電圧降下によって白色発光ダイオードＤ１への供給電圧を適正化する多数の電圧制限抵抗Ｒ１，Ｒ４と、並列接続されたコンデンサＣと抵抗Ｒの４組で構成された平滑回路ＳＭＴと、を有して構成されている。
【００４３】
ここで、トランジスタＴＲと、バイアス抵抗Ｒ２と、レギュレータＳＲと、電流制限抵抗Ｒ３とで、定電流回路ＣＯＮＳＴが構成されている。レギュレータＳＲは、例えば、図６（ｂ）に示す内部構成を有するShunt Regulator 素子（TL431 ）で構成されている。なお、図６（ｄ）は、定電流回路ＣＯＮＳＴを上流側に配置して上限電流を規定する回路構成を例示しており、また、図６（ｅ）は、定電流回路ＣＯＮＳＴを下流側に配置して定電流性能を実現する回路構成を例示している。
【００４４】
図６（ｂ）に示す通り、Shunt Regulator 素子は、オペアンプＣＭと、トランジスタＱとを有して構成され、内部的で発生させる正確な基準電圧２．５Ｖに基づいて動作している。そして、比較端子ＲＥＦとアノード端子Ａの電位差、つまり、電流制限抵抗Ｒ３の両端電圧が、基準電圧２．５Ｖに一致するよう、オペアンプＣＭとトランジスタＱが機能する。
【００４５】
したがって、図６（ｅ）の回路構成では、電流制限抵抗Ｒ３に流れる電流は、２．５／Ｒ３の一定値となる。そこで、本実施例では、例えば、Ｒ３＝３３Ωとすることで、発光ダイオードＤ１の通電電流Ｉｆを７６ｍＡ程度に設定している。
【００４６】
一方、図６（ｄ）の回路構成では、レギュレータＳＲの下流側に平滑回路ＳＭＴが配置されている。そのため、レギュレータＳＲへの入力電圧Ｖが、平滑回路ＳＭＴの両端電圧Ｅをある程度以上超える場合（Ｖ＞Ｅ）に、電流制限抵抗Ｒ３に流れる電流が所定レベル（７６ｍＡ）に制限された状態で、平滑回路ＳＭＴが適宜に充電される。一方、レギュレータＳＲへの入力電圧Ｖが降下すると（Ｖ＜Ｅ）と、平滑回路ＳＭＴの放電電流が発光ダイオードに流れる。
【００４７】
ところで、整流回路ＢＤは、図６（ａ）に示すブリッジ整流回路を内蔵したチップ部品で構成されている。この整流回路ＢＤには、交流１００Ｖが供給されるので、整流回路ＢＤの出力は、波高値１４０Ｖ程度の脈流となる。
【００４８】
白色発光ダイオードＤ１は、図６（ｃ）に示す内部構成を有しており、一の回路素子に、同一特性の発光ダイオードが２個内蔵されている。この発光ダイオードは、７６／２ｍＡ通電時の順方向電圧降下Ｖｆが２．９Ｖ程度である。また、１２０ｍＡ程度の通電電流で、光度１２〜１３ｃｄの高輝度で発光するよう構成されている。
【００４９】
但し、図６（ｅ）の回路構成では、通電電流Ｉｆ＝７６ｍＡで動作させるので、光度は６０％程度に抑制されるが、それでも７ｃｄ程度であって、十分に高輝度に発光する。
【００５０】
とろこで、上記の動作を実現するには、発光ダイオードＤ１の各素子の両端電圧Ｖｆが２．９Ｖを超えないよう制限する必要がある。この両端電圧は、２０個の発光ダイオード全体では、５８Ｖとなるが、先に説明した通り、整流回路ＢＤの出力は、波高値１４０Ｖ程度となるので、最高レベルで１４０−５８＝８２Ｖ程度の電圧を適切に電圧降下させる必要がある。
【００５１】
ここで、８２Ｖを単一の抵抗Ｒｘで消費することも考えられるが、それでは、トランジスタＴＲや電流制限抵抗Ｒ３での電圧降下を、仮に５Ｖと見積もっても、単一の抵抗Ｒｘでの消費電力が（８２−５）×７６ｍ＝５．８Ｗ程度となり、この消費電力に耐える高価な抵抗素子Ｒｘが必要となる。また、一ヶ所で発生する５．８Ｗの消費電力による照明装置ＬＧＨＴ内部での発熱も問題になる。
【００５２】
そこで、本実施例では、この５．８Ｗ程度の消費電力を、多数の抵抗Ｒ１，Ｒ４で分担して負担している。具体的には、５１Ω程度の５個の抵抗Ｒ１を、適宜に離間させて直列接続し、また、７５Ω程度の１０個の抵抗Ｒ４を、適宜に離間させて直列接続している。
【００５３】
各抵抗Ｒ１，Ｒ４には、何れも７６ｍＡ程度の電流Ｉｆが流れるので、抵抗Ｒ１（５１Ω）での消費電力は、５１×７６／１０００×７６／１０００＝０．２９Ｗとなり、抵抗Ｒ４（７５Ω）での消費電力は、７５×７６／１０００×７６／１０００＝０．４３３Ｗとなる。
【００５４】
そのため、個々の抵抗Ｒ１，Ｒ４として高価な素子を使用する必要がなくなり、且つ、分散配置された各抵抗Ｒ１，Ｒ４での発熱が、適宜に放熱されることで、照明装置ＬＧＨＴ内部の過熱状態を未然防止している。すなわち、抵抗Ｒ１と抵抗Ｒ４の消費電力は、何れも１Ｗを大きく下回り、定格０．７５Ｗ程度の安価な抵抗素子を使用することができる。また、各々の発熱量も大きくなく、適切に放熱されるので点灯部を発熱させることもない。なお、本実施例では、全ての抵抗が最大定格０．７５Ｗのチップ抵抗で構成されている。
【００５５】
以上、本考案について、詳細に説明したが、具体的な記載内容は、何ら本考案を限定するものではない。先ず、上記の実施例では、平滑回路ＳＭＴと、定電流回路ＣＯＮＳＴとを設けたが、製造コストの抑制のためには、これらの配置を省略するのも好適である。また、照明装置ＬＧＨＴに配置する発光ダイオードＤ１の個数は、２０個／ＵＮＩＴに限らず、同一寸法の単位基板ＵＮＩＴに、２６個／ＵＮＩＴや、３０個／ＵＮＩＴの発光ダイオードＤ１を配置するのも好適である。
【００５６】
この場合も通電電流Ｉｆは、７０ｍＡ〜８０ｍＡ程度の定電流として、各発光ダイオードＤ１の光度を６〜８ｃｈとするのが好適であり、発光ダイオードＤ１の個数が増えて分だけ、照明装置ＬＧＨＴの照明が明るくなる。また、発光ダイオードＤ１の個数が増えて分だけ、電圧制限抵抗Ｒ１，Ｒ４で電圧降下を減らすことができ、無駄な消費電力を抑制することができる。
【００５７】
因みに、電圧制限抵抗Ｒ１，Ｒ４での消費電力は、Ｎ個の発光ダイオードＤ１の通電電流Ｉｆにおける順方向電圧降下をＶｆとすると、（１４０−Ｖｆ×Ｎ−Ｖｏ）×Ｉｆである。ここで、Ｉｆ＝７０ｍＡ〜８０ｍＡ、Ｖｆ＝２．９Ｖである。なお、Ｖｏは、トランジスタＴＲや電流制限抵抗Ｒ３での電圧降下であり、トランジスタＴＲの定格消費電力から、５Ｖ以下に設定するのが好適である（Ｖｏ＜５）。この場合、トランジスタＴＲとして、定格消費電力（Collector power dissipation Ｔａ＝２５℃）１Ｗ以下のものを好適に選択できる。
【００５８】
なお、発光ダイオードＤ１の個数Ｎが多いほど、電圧制限抵抗Ｒ１，Ｒ４や、トランジスタＴＲの無駄な消費電力が抑制できるが、照明装置ＬＧＨＴの長さ寸法や製造コストなどを考慮すると、発光ダイオードＤ１の個数ＮをＮ≦３５とするのが好適である。
【符号の説明】
【００５９】
１  収納ケース１
３  回路基板
２  金属板
ＬＥＤ  発光ダイオード
【図１】
0003231587.tif 000003
【図２】
0003231587.tif 000004
【図３】
0003231587.tif 000005
【図４】
0003231587.tif 000006
【図５】
0003231587.tif 000007
【図６】
0003231587.tif 000008